(57)【要約】【課題】手を濡らさずに米を研ぐことができるようにした安価な洗米器を提供する。【解決手段】  上端（１ａ）を開口した容器（１）と該容器に対し出し入れ自在の洗米具（３）とよりなり、該洗米具は、上下に重なる第一円形体（５）と第二円形体（７）にはそれぞれ中央孔（９）（１１）を備えさせ、該第一円形体と第二円形体の各中央孔を上下方向に回転自在に貫く軸（１３）の上端にはハンドル（１５）を備えさせると共に該軸の下端には攪拌手段（１７）を備えさせ、該第一円形体と第二円形体とは同一の直径を有すると共に相互に回動自在となし、該第一円形体には板状部（１９）と網状部（２１）と透孔部（２３）とを備えさせ、該第二円形体には板状部（２５）と透孔部（２７）とを備えさせてなることを特徴とする洗米器。【選択図】図１
2005245934.tif 000002
【特許請求の範囲】
【請求項１】
上端を開口した容器と該容器に対し出し入れ自在の洗米具とよりなり、
該洗米具は、上下に重なる第一円形体と第二円形体にはそれぞれ中央孔を備えさせ、該第一円形体と第二円形体の各中央孔を上下方向に回転自在に貫く軸の上端にはハンドルを備えさせると共に該軸の下端には攪拌手段を備えさせ、該第一円形体と第二円形体とは同一の直径を有すると共に相互に回動自在となし、該第一円形体には板状部と網状部と透孔部とを備えさせ、該第二円形体には板状部と透孔部とを備えさせ、
第一円形体の網状部及び透孔部と第二円形体の板状部とを相互に重ねたときには該容器が略密閉され、第一円形体の網状部と第二円形体の透孔部とを相互に重ねて該容器を傾けたときには該容器から米が出ることなく水と細かなゴミのみが流出し、第一円形体の透孔部と第二円形体の透孔部とを相互に重ねたときには、該容器に対し米と水とを出し入れすることができるようにしてなることを特徴とする洗米器。
【発明の詳細な説明】
【技術分野】
【０００１】
本発明は、洗米器に関するものであり、特に、手を濡らさずに米を研ぐことができるようにした洗米器に係るものである。
【背景技術】
【０００２】
実開平６−３２３８号公報は、手を濡らさずに米を研ぐことができるようにした洗米器を開示している。
【０００３】
実開平６−３２３８号公報に示す洗米器（以下「従来の洗米器」という。）は、上端にハンドルを備えると共に下端に摩擦翼を備えた回転軸を支承アームを介して容器内に取り付け、容器の底部には排水構造を備えさせてなるものである。
【特許文献１】実開平６−３２３８号公報
【発明の開示】
【発明が解決しようとする課題】
【０００４】
しかるに、上記従来の洗米器は、容器の上縁に回転軸の支承アームを固定するようになすと共に、容器の底部に複雑な排水構造を備えさせているため、製造コストが嵩むという謗りを免れない。また、従来の洗米器における容器はこのような構造等を備えたものであるため、一般家庭に常備されている容器を従来の洗米器用の容器として流用することができないことはいうまでもない。
【０００５】
本発明は、上記従来の洗米器における上述の如き問題を解決し、手を濡らさずに米を研ぐことができるようにした洗米器であって、一般家庭に常備されている容器を利用し得る安価な洗米器を提供しようとしてなされたものである。
【課題を解決するための手段】
【０００６】
上記課題を解決するために、本発明は、下記の洗米器を提供する。
【０００７】
上端を開口した容器と該容器に対し出し入れ自在の洗米具とよりなり、
該洗米具は、上下に重なる第一円形体と第二円形体にはそれぞれ中央孔を備えさせ、該第一円形体と第二円形体の各中央孔を上下方向に回転自在に貫く軸の上端にはハンドルを備えさせると共に該軸の下端には攪拌手段を備えさせ、該第一円形体と第二円形体とは同一の直径を有すると共に相互に回動自在となし、該第一円形体には板状部と網状部と透孔部とを備えさせ、該第二円形体には板状部と透孔部とを備えさせ、
第一円形体の網状部及び透孔部と第二円形体の板状部とを相互に重ねたときには該容器が略密閉され、第一円形体の網状部と第二円形体の透孔部とを相互に重ねて該容器を傾けたときには該容器から米が出ることなく水と細かなゴミのみが流出し、第一円形体の透孔部と第二円形体の透孔部とを相互に重ねたときには、該容器に対し米と水とを出し入れすることができるようにしてなることを特徴とする洗米器。
【０００８】
［発明の作用］
本発明による洗米器における洗米具は容器に取り付けられるものではなく、容器に対し出し入れ自在である。即ち、洗米具に適合する内径を備えた容器であれば、一般家庭に常備されている鍋、釜その他の容器を本発明における洗米器の容器として使用することができる。例えば、電気炊飯器、ガス炊飯器等の炊飯器の内釜その他の炊飯用釜に洗米具を入れて米を研ぐこともできる。
【０００９】
本発明による洗米器を用いて米を研ぐ際には、次のようになす。
【００１０】
（１）（イ）容器から洗米具を一旦取り出し、容器内に米と水とを入れた後、容器内に洗米具を入れ、又は、（ロ）洗米具を容器内に入れたまま、第一円形体と第二円形体の一方又は両方を回動させることにより第一円形体の透孔部と第二円形体の透孔部とを相互に重ねた状態で、第一円形体の透孔部と第二円形体の透孔部とを通して容器内に米と水とを入れる。
【００１１】
（２）第一円形体と第二円形体の一方又は両方を回動させることにより第一円形体の網状部及び透孔部と第二円形体の板状部とが相互に重なるようにして、容器を略密閉した状態で、ハンドルを回転させる。ハンドルを回転することにより洗米具の攪拌手段が回転し、米が水中で攪拌され、押圧される。
【００１２】
（３）第一円形体と第二円形体の一方又は両方を回動させることにより第一円形体の網状部と第二円形体の透孔部とを相互に重ねて該容器を傾け、該容器から水と細かなゴミのみを流出させる。即ち、第一円形体の網状部と第二円形体の透孔部とを相互に重ねたときには、米は第一円形体の網状部を通過しないが、水と小さなゴミは第一円形体の網状部と第二円形体の透孔部とを通過して容器より流出する。
【００１３】
（４）続いて、第一円形体と第二円形体の一方又は両方を回動させることにより第一円形体の透孔部と第二円形体の透孔部とを相互に重ねた状態で、第一円形体の透孔部と第二円形体の透孔部とを通して容器内に新しい水を入れる。
【００１４】
（５）以後、同様にして上記（２）（３）を繰り返し、米を研ぐ。
【００１５】
（６）電気炊飯器、ガス炊飯器等の炊飯器の内釜その他の炊飯用釜を該容器として用いた場合には、洗米具を該容器から取り出し、該容器内に適量の水を注入して炊飯する。また、このような炊飯用釜以外のものを該容器として用いた場合には、該容器から米を取り出してこれを炊飯器等により炊くのである。
【００１６】
なお、洗米後、容器から米を取り出す際には、該容器から洗米具を取り出した後、該容器から米を取り出してもよいが、洗米具を容器内に入れたまま、第一円形体と第二円形体の一方又は両方を回動させることにより第一円形体の透孔部と第二円形体の透孔部とを相互に重ねた状態で、第一円形体の透孔部と第二円形体の透孔部とを通して米を容器から取り出すことも可能である。
【発明の効果】
【００１７】
本発明による洗米器における洗米具は容器に取り付けられるものではなく、容器に対し出し入れ自在である。即ち、洗米具に適合する内径を備えた容器であれば、一般家庭に常備されている鍋、釜その他の容器を本発明における洗米器の容器として使用することができる。例えば、電気炊飯器、ガス炊飯器等の炊飯器の内釜その他の炊飯用釜に洗米具を入れて米を研ぐこともできる。
【００１８】
しかも、洗米具も極めて簡単なものであり、安価に製造することができる。
【００１９】
従って、本発明による洗米器は極めて安価に提供することができる。
【発明を実施するための最良の形態】
【００２０】
本発明の洗米器は、上端１ａを開口した容器１と該容器１に対し出し入れ自在の洗米具３とよりなる。
【００２１】
洗米具３は、上下に重なる第一円形体５と第二円形体７にはそれぞれ中央孔９、１１を備えさせ、該第一円形体５と第二円形体７の各中央孔９、１１を上下方向に回転自在に貫く軸１３の上端にはハンドル１５を備えさせると共に該軸１３の下端には攪拌手段１７を備えさせ、該第一円形体５と第二円形体７とは同一の直径を有すると共に相互に回動自在となし、該第一円形体５には板状部１９と網状部２１と透孔部２３とを備えさせ、該第二円形体７には板状部２５と透孔部２７とを備えさせてなる。
【００２２】
図示の事例においては、第一円形体５を第二円形体７の上側に配設している。第一円形体５における板状部１９と網状部２１と透孔部２３は、図２に示すように、第一円形体５においてそれぞれ１２０度の等角度を有している。第二円形体７においては、図５に示すように、板状部２５は２４０度の角度を有し、透孔部２７は１２０度の角度を有する。
【００２３】
換言すれば、第一円形体５における網状部２１と透孔部２３とを合わせた部分は、第二円形体７の板状部２５に一致し、第一円形体５における板状部１９と網状部２１と透孔部２３は、それぞれ第二円形体７における透孔部２７に一致する。
【００２４】
即ち、第一円形体５の網状部２１及び透孔部２３と第二円形体７の板状部２５とを相互に重ねたときには該容器１が略密閉され、第一円形体５の網状部２１と第二円形体７の透孔部２７とを相互に重ねて該容器１を傾けたときには該容器１から米２が出ることなく水４と細かなゴミのみが流出し、第一円形体５の透孔部２３と第二円形体７の透孔部２７とを相互に重ねたときには、該容器１に対し米２と水４とを出し入れすることができる。
【００２５】
軸１３の下端に備えさせた攪拌手段１７は、図１に示す事例においては、棒状体である。
【図面の簡単な説明】
【００２６】
【図１】本発明による洗米器の一例を示す断面図である。
【図２】第一円形体の平面図である。
【図３】図２のＩＩＩ−ＩＩＩ線における断面図である。
【図４】図２のＩＶ−ＩＶ線における断面図である。
【図５】第二円形体の平面図である。
【図６】図５のＶＩ−ＶＩ線における断面図である。
【図７】容器に水を注入する時における第一円形体と第二円形体との位置関係を示す平面図である。
【図８】洗米時における第一円形体と第二円形体との位置関係を示す平面図である。
【図９】容器から水を流出させる時における第一円形体と第二円形体との位置関係を示す平面図である。
【符号の説明】
【００２７】
１  容器
１ａ  上端
２  米
３  洗米具
４  水
５  第一円形体
７  第二円形体
９  中央孔
１１  中央孔
１３  軸
１５  ハンドル
１７  攪拌手段
１９  板状部
２１  網状部
２３  透孔部
２５  板状部
２７  透孔部
【図１】
2005245934.tif 000003
【図２】
2005245934.tif 000004
【図３】
2005245934.tif 000005
【図４】
2005245934.tif 000006
【図５】
2005245934.tif 000007
【図６】
2005245934.tif 000008
【図７】
2005245934.tif 000009
【図８】
2005245934.tif 000010
【図９】
2005245934.tif 000011